【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
信号フィールドを有する物理レイヤプリアンブルを備える制御フレームを生成すること、ここで、前記信号フィールドは、前記制御フレームが制御フレームタイプのフレームであることを示すインジケータを含み、
前記制御フレームは、制御フレームタイプのセットうちの少なくとも１つであり、前記セットは、肯定応答フレーム、省電力ポーリングフレーム、送信可フレーム、およびブロック肯定応答フレームを備える、と、
前記制御フレームを送信することと
を備える、方法。
【請求項２】
前記インジケータは、前記制御フレームが制御フレームタイプのフレームであることを示す、長さフィールドを備え、
前記長さフィールドに対する０の値は、前記フレームのタイプが制御フレームタイプであることを示す、または
前記長さフィールドに対する１０未満の値は、前記フレームのタイプが制御フレームタイプであることを示し、
さらに、前記１０未満の値は、制御フレームのタイプを示す、
請求項１に記載の方法。
【請求項３】
前記制御フレームの制御情報は、前記信号フィールド内に含まれる、
請求項１に記載の方法。
【請求項４】
前記制御フレームは、本質的に、物理レイヤプリアンブルから成る、または
前記信号フィールドは、前記制御フレームが制御フレームタイプであることを示す単一ビットを備える、または
前記制御フレームのフィールドの予約された値は、前記制御フレームが制御フレームタイプであることを示す、
請求項１に記載の方法。
【請求項５】
前記制御フレームは、前記制御フレームのタイプを示すタイプフィールドをさらに含む、または
前記制御フレームは、制御拡張フィールドをさらに備え、ここで前記制御拡張フィールドは追加の制御情報を備え、
前記制御拡張フィールドは、あらかじめ定義された変調コーディング方式を有する、
請求項１に記載の方法。
【請求項６】
前記制御情報は、巡回冗長チェックフィールドと送信電力表示フィールドとを備える、または
前記制御情報は、前記制御フレームの前記帯域幅のインジケータを備える、
請求項３に記載の方法。
【請求項７】
前記制御フレームは、送信要求フレーム、または
ブロック肯定応答要求フレーム、または
コンテンションフリー終了フレームおよびコンテンションフリー終了ポーリングフレームのうちの少なくとも一方、または
変調コーディング方式要求フレームおよび変調コーディング方式応答フレームのうちの少なくとも一方、または
ヌルデータパケットフレーム、または
プローブ要求フレームおよびプローブ応答フレームのうちの少なくとも一方
である、請求項１に記載の方法。
【請求項８】
信号フィールドを有する物理レイヤプリアンブルを備える制御フレームを生成するための手段、ここで、前記信号フィールドは、前記制御フレームが制御フレームタイプのフレームであることを示す、インジケータを含み、
前記制御フレームは、制御フレームタイプのセットうちの少なくとも１つであり、ここで、前記セットは、肯定応答フレーム、省電力ポーリングフレーム、送信可フレーム、およびブロック肯定応答フレームを備える、と、
前記制御フレームを送信するための手段と
を備える、ワイヤレスデバイス。
【請求項９】
前記インジケータは、前記制御フレームが制御フレームタイプのフレームであることを示す、長さフィールドを備え、
前記長さフィールドに対する０の値は、前記フレームのタイプが制御フレームタイプであることを示す、または
前記長さフィールドに対する１０未満の値は、前記フレームのタイプが制御フレームタイプであることを示し、
さらに、前記１０未満の値は、制御フレームのタイプを示す、
請求項８に記載のワイヤレスデバイス。
【請求項１０】
前記制御フレームの制御情報は、前記信号フィールド内に含まれる、
請求項８に記載のワイヤレスデバイス。
【請求項１１】
前記制御フレームは、本質的に、物理レイヤプリアンブルから成る、または
前記信号フィールドは、前記制御フレームが制御フレームタイプであることを示す単一ビットを備える、または
前記制御フレームのフィールドの予約された値は、前記制御フレームが制御フレームタイプであることを示す、
請求項８に記載のワイヤレスデバイス。
【請求項１２】
前記制御フレームは、前記制御フレームのタイプを示すタイプフィールドをさらに含む、または
前記制御フレームは、制御拡張フィールドをさらに備え、前記制御拡張フィールドは、追加の制御情報を備え、
前記制御拡張フィールドは、あらかじめ定義された変調コーディング方式を有する、
請求項８に記載のワイヤレスデバイス。
【請求項１３】
前記制御情報は、巡回冗長チェックフィールドと送信電力表示フィールドとを備える、または
前記制御情報は、前記制御フレームの前記帯域幅のインジケータを備える、
請求項１０に記載のワイヤレスデバイス。
【請求項１４】
前記制御フレームは、送信要求フレーム、または
ブロック肯定応答要求フレーム、またはコンテンションフリー終了フレームおよびコンテンションフリー終了ポーリングフレームのうちの少なくとも一方、または
変調コーディング方式要求フレームおよび変調コーディング方式応答フレームのうちの少なくとも一方、または
ヌルデータパケットフレーム、または
プローブ要求フレームおよびプローブ応答フレームのうちの少なくとも一方
である、請求項８に記載のワイヤレスデバイス。
【請求項１５】
コンピュータで実行されるとき、請求項１乃至７のいずれか１項のステップを実行するための命令を備えるコンピュータ可読媒体。
【手続補正２】
【補正対象書類名】明細書
【補正対象項目名】０１２３
【補正方法】変更
【補正の内容】
【０１２３】
[00138]上記は本開示の態様を対象とするが、本開示の他の態様およびさらなる態様は、それらの基本的範囲から逸脱することなく考案され得、それらの範囲は以下の特許請求の範囲によって判断される。
以下に、本願出願の当初の特許請求の範囲に記載された発明を付記する。
［Ｃ１］
ワイヤレス通信の方法であって、
信号フィールドを有する物理レイヤプリアンブルを備える制御フレームを生成することと、ここで、前記信号フィールドは、前記制御フレームが制御フレームタイプのフレームであることを示すインジケータを含む、
前記フレームを送信することと
を備える、方法。
［Ｃ２］
前記インジケータは、前記制御フレームが制御フレームタイプのフレームであることを示す、長さフィールドを備える、
［Ｃ１］に記載の方法。
［Ｃ３］
前記長さフィールドに対する０の値は、フレームのタイプが制御フレームタイプであることを示す、
［Ｃ２］に記載の方法。
［Ｃ４］
前記長さフィールドに対する１０未満の値は、フレームのタイプが制御フレームタイプであることを示す、
［Ｃ２］に記載の方法。
［Ｃ５］
前記値が、制御フレームのタイプを示す、
［Ｃ４］に記載の方法。
［Ｃ６］
前記制御フレームの制御情報は、前記信号フィールド内に含まれる、
［Ｃ１］に記載の方法。
［Ｃ７］
前記制御フレームは、本質的に、物理レイヤプリアンブルから成る、
［Ｃ１］に記載の方法。
［Ｃ８］
前記信号フィールドは、前記制御フレームが制御フレームタイプのフレームであることを示す、単一ビットを備える、
［Ｃ１］に記載の方法。
［Ｃ９］
前記制御フレームのフィールドの予約された値は、前記制御フレームが制御フレームタイプのフレームであることを示す、
［Ｃ１］に記載の方法。
［Ｃ１０］
前記制御フレームは、前記制御フレームのタイプを示すタイプフィールドをさらに含む、
［Ｃ１］に記載の方法。
［Ｃ１１］
前記制御フレームは、追加の制御情報を備える制御拡張フィールドをさらに備える、
［Ｃ１］に記載の方法。
［Ｃ１２］
前記制御拡張フィールドは、あらかじめ定義された変調コーディング方式を有する、
［Ｃ１１］に記載の方法。
［Ｃ１３］
前記制御情報は、巡回冗長チェックフィールドと送信電力表示フィールドとを備える、
［Ｃ１］に記載の方法。
［Ｃ１４］
前記制御情報は、前記制御フレームの前記帯域幅のインジケータを備える、
［Ｃ１］に記載の方法。
［Ｃ１５］
前記制御フレームは、肯定応答フレームである、
［Ｃ１］に記載の方法。
［Ｃ１６］
前記制御フレームは、省電力ポーリングフレームである、
［Ｃ１］に記載の方法。
［Ｃ１７］
前記制御フレームは、送信要求フレームである、
［Ｃ１］に記載の方法。
［Ｃ１８］
前記制御フレームは、送信可フレームである、
［Ｃ１］に記載の方法。
［Ｃ１９］
前記制御フレームは、ブロック肯定応答要求フレームおよびブロック肯定応答フレームのうちの少なくとも一方である、
［Ｃ１］に記載の方法。
［Ｃ２０］
前記制御フレームは、コンテンションフリー終了フレームおよびコンテンションフリー終了ポーリングフレームのうちの少なくとも一方である、
［Ｃ１］に記載の方法。
［Ｃ２１］
前記制御フレームは、変調コーディング方式要求フレームおよび変調コーディング方式応答フレームのうちの少なくとも一方である、
［Ｃ１］に記載の方法。
［Ｃ２２］
前記制御フレームは、ヌルデータパケットフレームである、
［Ｃ１］に記載の方法。
［Ｃ２３］
前記制御フレームは、プローブ要求フレームおよびプローブ応答フレームのうちの少なくとも一方である、
［Ｃ１］に記載の方法。
［Ｃ２４］
信号フィールドを有する物理レイヤプリアンブルを備える制御フレームを生成するように構成されたプロセッサと、ここで、前記信号フィールドは、前記制御フレームが制御フレームタイプのフレームであることを示すインジケータを含む
前記制御フレームを送信するように構成された送信機と
を備える、ワイヤレスデバイス。
［Ｃ２５］
前記インジケータは、前記制御フレームが制御フレームタイプのフレームであることを示す、長さフィールドを備える、
［Ｃ２４］に記載のワイヤレスデバイス。
［Ｃ２６］
前記長さフィールドに対する０の値は、フレームのタイプが制御フレームタイプであることを示す、
［Ｃ２５］に記載のワイヤレスデバイス。
［Ｃ２７］
前記長さフィールドに対する１０未満の値は、フレームのタイプが制御フレームタイプであることを示す、
［Ｃ２５］に記載のワイヤレスデバイス。
［Ｃ２８］
前記値は制御フレームのタイプを示す、
［Ｃ２７］に記載のワイヤレスデバイス。
［Ｃ２９］
前記制御フレームの制御情報は、前記信号フィールド内に含まれる、
［Ｃ２４］に記載のワイヤレスデバイス。
［Ｃ３０］
前記制御フレームは、本質的に、物理レイヤプリアンブルから成る、
［Ｃ２４］に記載のワイヤレスデバイス。
［Ｃ３１］
前記信号フィールドは、前記制御フレームが制御フレームタイプであることを示す、単一ビットを備える、
［Ｃ２４］に記載のワイヤレスデバイス。
［Ｃ３２］
前記制御フレームのフィールドの予約された値は、前記制御フレームが制御フレームタイプであることを示す、
［Ｃ２４］に記載のワイヤレスデバイス。
［Ｃ３３］
前記制御フレームは、前記制御フレームのタイプを示すタイプフィールドをさらに含む、
［Ｃ２４］に記載のワイヤレスデバイス。
［Ｃ３４］
前記制御フレームは、追加の制御情報を備える制御拡張フィールドをさらに備える、
［Ｃ２４］に記載のワイヤレスデバイス。
［Ｃ３５］
前記制御拡張フィールドは、あらかじめ定義された変調コーディング方式を有する、
［Ｃ３４］に記載のワイヤレスデバイス。
［Ｃ３６］
前記制御情報は、巡回冗長チェックフィールドと送信電力表示フィールドとを備える、
［Ｃ２４］に記載のワイヤレスデバイス。
［Ｃ３７］
前記制御情報は、前記制御フレームの前記帯域幅のインジケータを備える、
［Ｃ２４］に記載のワイヤレスデバイス。
［Ｃ３８］
前記制御フレームは肯定応答フレームである、
［Ｃ２４］に記載のワイヤレスデバイス。
［Ｃ３９］
前記制御フレームは省電力ポーリングフレームである、
［Ｃ２４］に記載のワイヤレスデバイス。
［Ｃ４０］
前記制御フレームは、送信要求フレームである、
［Ｃ２４］に記載のワイヤレスデバイス。
［Ｃ４１］
前記制御フレームは、送信可フレームである、
［Ｃ２４］に記載のワイヤレスデバイス。
［Ｃ４２］
前記制御フレームは、ブロック肯定応答要求フレームおよびブロック肯定応答フレームのうちの少なくとも一方である、
［Ｃ２４］に記載のワイヤレスデバイス。
［Ｃ４３］
前記制御フレームは、コンテンションフリー終了フレームおよびコンテンションフリー終了ポーリングフレームのうちの少なくとも一方である、
［Ｃ２４］に記載のワイヤレスデバイス。
［Ｃ４４］
前記制御フレームは、変調コーディング方式要求フレームおよび変調コーディング方式応答フレームのうちの少なくとも一方である、
［Ｃ２４］に記載のワイヤレスデバイス。
［Ｃ４５］
前記制御フレームは、ヌルデータパケットフレームである、
［Ｃ２４］に記載のワイヤレスデバイス。
［Ｃ４６］
前記制御フレームは、プローブ要求フレームおよびプローブ応答フレームのうちの少なくとも一方である、
［Ｃ２４］に記載のワイヤレスデバイス。
［Ｃ４７］
信号フィールドを有する物理レイヤプリアンブルを備える制御フレームを生成するための手段と、ここで、前記信号フィールドは、前記制御フレームが制御フレームタイプのフレームであることを示す、インジケータを含む、
前記制御フレームを送信するための手段と
を備える、ワイヤレスデバイス。
［Ｃ４８］
前記インジケータは、前記制御フレームが制御フレームタイプのフレームであることを示す、長さフィールドを備える、
［Ｃ４７］に記載のワイヤレスデバイス。
［Ｃ４９］
前記長さフィールドに対する０の値は、フレームのタイプが制御フレームタイプであることを示す、
［Ｃ４８］に記載のワイヤレスデバイス。
［Ｃ５０］
前記長さフィールドに対する１０未満の値は、フレームのタイプが制御フレームタイプであることを示す、
［Ｃ４８］に記載のワイヤレスデバイス。
［Ｃ５１］
前記値は、制御フレームのタイプを示す、
［Ｃ５０］に記載のワイヤレスデバイス。
［Ｃ５２］
前記制御フレームの制御情報は、前記信号フィールド内に含まれる、
［Ｃ４７］に記載のワイヤレスデバイス。
［Ｃ５３］
前記制御フレームは、本質的に、物理レイヤプリアンブルから成る、
［Ｃ４７］に記載のワイヤレスデバイス。
［Ｃ５４］
前記制御フレームは、制御フレームタイプであることを示す単一ビットを前記信号フィールドが備える、
［Ｃ４７］に記載のワイヤレスデバイス。
［Ｃ５５］
前記制御フレームのフィールドの予約された値は、前記制御フレームが制御フレームタイプであることを示す、
［Ｃ４７］に記載のワイヤレスデバイス。
［Ｃ５６］
前記制御フレームは、前記制御フレームのタイプを示すタイプフィールドをさらに含む、
［Ｃ４７］に記載のワイヤレスデバイス。
［Ｃ５７］
前記制御フレームは、追加の制御情報を備える制御拡張フィールドをさらに備える、
［Ｃ４７］に記載のワイヤレスデバイス。
［Ｃ５８］
前記制御拡張フィールドは、あらかじめ定義された変調コーディング方式を有する、
［Ｃ５７］に記載のワイヤレスデバイス。
［Ｃ５９］
前記制御情報は、巡回冗長チェックフィールドと送信電力表示フィールドとを備える、
［Ｃ４７］に記載のワイヤレスデバイス。
［Ｃ６０］
前記制御情報は、前記制御フレームの前記帯域幅のインジケータを備える、
［Ｃ４７］に記載のワイヤレスデバイス。
［Ｃ６１］
前記制御フレームは、肯定応答フレームである、
［Ｃ４７］に記載のワイヤレスデバイス。
［Ｃ６２］
前記制御フレームは、省電力ポーリングフレームである、
［Ｃ４７］に記載のワイヤレスデバイス。
［Ｃ６３］
前記制御フレームは、送信要求フレームである、
［Ｃ４７］に記載のワイヤレスデバイス。
［Ｃ６４］
前記制御フレームは、送信可フレームである、
［Ｃ４７］に記載のワイヤレスデバイス。
［Ｃ６５］
前記制御フレームは、ブロック肯定応答要求フレームおよびブロック肯定応答フレームのうちの少なくとも一方である、
［Ｃ４７］に記載のワイヤレスデバイス。
［Ｃ６６］
前記制御フレームは、コンテンションフリー終了フレームおよびコンテンションフリー終了ポーリングフレームのうちの少なくとも一方である、
［Ｃ４７］に記載のワイヤレスデバイス。
［Ｃ６７］
前記制御フレームは、変調コーディング方式要求フレームおよび変調コーディング方式応答フレームのうちの少なくとも一方である、
［Ｃ４７］に記載のワイヤレスデバイス。
［Ｃ６８］
前記制御フレームは、ヌルデータパケットフレームである、
［Ｃ４７］に記載のワイヤレスデバイス。
［Ｃ６９］
前記制御フレームは、プローブ要求フレームおよびプローブ応答フレームのうちの少なくとも一方である、
［Ｃ４７］に記載のワイヤレスデバイス。
［Ｃ７０］
信号フィールドを有する物理レイヤプリアンブルを備える制御フレームを生成するためのコードと、ここで、前記制御フレームは、制御フレームタイプのフレームであることを示すインジケータを含む、
前記制御フレームを送信するためのコードと
を備えるコンピュータ可読媒体を備える、コンピュータプログラム製品。
［Ｃ７１］
前記インジケータは、前記制御フレームが制御フレームタイプのフレームであることを示す、長さフィールドを備える、
［Ｃ７０］に記載のコンピュータプログラム製品。
［Ｃ７２］
前記長さフィールドに対する０の値は、フレームのタイプが制御フレームタイプであることを示す、
［Ｃ７１］に記載のコンピュータプログラム製品。
［Ｃ７３］
前記長さフィールドに対する１０未満の値は、フレームのタイプが制御フレームタイプであることを示す、
［Ｃ７１］に記載のコンピュータプログラム製品。
［Ｃ７４］
前記値は、制御フレームのタイプを示す、
［Ｃ７３］に記載のコンピュータプログラム製品。
［Ｃ７５］
前記制御フレームの制御情報は、前記信号フィールド内に含まれる、
［Ｃ７０］に記載のコンピュータプログラム製品。
［Ｃ７６］
前記制御フレームは、本質的に、物理レイヤプリアンブルから成る、
［Ｃ７０］に記載のコンピュータプログラム製品。
［Ｃ７７］
前記信号フィールドは、前記制御フレームが制御フレームタイプであることを示す、単一ビットを備える、
［Ｃ７０］に記載のコンピュータプログラム製品。
［Ｃ７８］
前記制御フレームのフィールドの予約された値は、前記制御フレームが制御フレームタイプであることを示す、
［Ｃ７０］に記載のコンピュータプログラム製品。
［Ｃ７９］
前記制御フレームは、前記制御フレームのタイプを示すタイプフィールドをさらに含む、
［Ｃ７０］に記載のコンピュータプログラム製品。
［Ｃ８０］
前記制御フレームは、追加の制御情報を備える制御拡張フィールドをさらに備える、
［Ｃ７０］に記載のコンピュータプログラム製品。
［Ｃ８１］
前記制御拡張フィールドは、あらかじめ定義された変調コーディング方式を有する、
［Ｃ８０］に記載のコンピュータプログラム製品。
［Ｃ８２］
前記制御情報は、巡回冗長チェックフィールドと送信電力表示フィールドとを備える、
［Ｃ７０］に記載のコンピュータプログラム製品。
［Ｃ８３］
前記制御情報は、前記制御フレームの前記帯域幅のインジケータを備える、
［Ｃ７０］に記載のコンピュータプログラム製品。
［Ｃ８４］
前記制御フレームは、肯定応答フレームである、
［Ｃ７０］に記載のコンピュータプログラム製品。
［Ｃ８５］
前記制御フレームは、省電力ポーリングフレームである、
［Ｃ７０］に記載のコンピュータプログラム製品。
［Ｃ８６］
前記制御フレームは、送信要求フレームである、
［Ｃ７０］に記載のコンピュータプログラム製品。
［Ｃ８７］
前記制御フレームが送信可フレームである、
［Ｃ７０］に記載のコンピュータプログラム製品。
［Ｃ８８］
前記制御フレームは、ブロック肯定応答要求フレームおよびブロック肯定応答フレームのうちの少なくとも一方である、
［Ｃ７０］に記載のコンピュータプログラム製品。
［Ｃ８９］
前記制御フレームは、コンテンションフリー終了フレームおよびコンテンションフリー終了ポーリングフレームのうちの少なくとも一方である、
［Ｃ７０］に記載のコンピュータプログラム製品。
［Ｃ９０］
前記制御フレームは、変調コーディング方式要求フレームおよび変調コーディング方式応答フレームのうちの少なくとも一方である、
［Ｃ７０］に記載のコンピュータプログラム製品。
［Ｃ９１］
前記制御フレームは、ヌルデータパケットフレームである、
［Ｃ７０］に記載のコンピュータプログラム製品。
［Ｃ９２］
前記制御フレームは、プローブ要求フレームおよびプローブ応答フレームのうちの少なくとも一方である、
［Ｃ７０］に記載のコンピュータプログラム製品。